【事件の表示】
　特許第３１７３４６９号「プラズマ表示方法及びプラズマ表示装置」の請求項１ないし８に係る特許に対する特許異議の申立てについて、次のとおり決定する。
【結　論】
　訂正を認める。
　特許第３１７３４６９号の請求項１ないし４に係る特許を取り消す。
【理　由】
１．手続の経緯
　本件特許に係る発明についての出願は、平成１０年８月１９日に特許出願され、平成１３年３月３０日にその発明について特許権の設定登録がなされ、平成１３年１１月３０日にその特許について特許異議申立人三菱電機株式会社より特許異議の申立てがなされ、平成１４年３月１９日付で取消理由通知がなされ、その指定期間内である平成１４年５月２８日付で訂正請求がなされたものである。
　
２．訂正の適否についての判断
２−１．訂正の内容
(a)　訂正前の請求項１〜６を削除する。
(b)　訂正前の請求項３に従属する請求項５に従属する請求項６に従属する請求項７を、独立形式請求項である新たな請求項１として、下記のように訂正する。
「【請求項１】 データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　前記データ変移の検出計数部は、データ変移の検出部と、この検出部により検出されたデータ変移を計数する計数部とを有し、
　
前記データ変移の検出部は、２行３列の６画素データを参照して検出するものであることを特徴とするプラズマ表示装置。
(c)　訂正前の請求項３に従属する請求項５に従属する請求項６に従属する請求項８を、独立形式請求項である新たな請求項２として、下記のように訂正する。
「【請求項２】データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行５列の１０画素データを参照して検出するものであることを特徴とするプラズマ表示装置。
(d)　訂正前の請求項３に従属する請求項４に従属する請求項５に従属する請求項６に従属する請求項７を、独立形式請求項である新たな請求項３として、下記のように訂正する。
「【請求項３】 データ電極、スキャン電極及びコモン電極と、これらの電極を駆する夫々データドライバ、スキャンドライバ及びコモンドライバと、外部から力された表示データを一旦蓄積しこれを前記データドライバに供給するフレームメモリと、前記フレームメモリから前記データドライバへの表示データの供給　びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサプフィールド数を力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行３列の６画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。
(e)　訂正前の請求項３に従属する請求項４に従属する請求項５に従属する請求項６に従属する請求項８を、独立形式請求項である新たな請求項４として、下記のように訂正する。
「【請求項４】 データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有することを特徴とするプラズマ表示装置であって、
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有
し、
　
前記データ変移の検出計数部は、データ変移の検出部と、この検出部により検出されたデータ変移を計数する計数部とを有し、
　
前記データ変移の検出部は、２行５列の１０画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。
(f)　発明の詳細な説明の段落【０００８】【０００９】【００１１】【００１２】を削除する。
(g)　発明の詳細な説明の段落【００１０】を下記のように訂正する。
「本発明に係るプラズマ表示装置は、データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、前記サブフィールド数監視制御部は、表示階調の重み付けが最も軽いサブフィールドからデータの書込・切替を行わないようにして表示階調数を減少させるように構成することができ、また、前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、前記データ変移の検出計数部は、データ変移の検出部と、この検出部により検出されたデータ変移を計数する計数部とを有するように構成することができ、前記データ変移の検出部は、２行３列の６画素データを参照して検出するものであるか、又は前記データ変移の検出部は、２行５列の１０画素データを参照して検出するものとして構成することができる。」
　
２−２．訂正の目的の適否、新規事項の有無及び拡張・変更の存否
　上記訂正について検討する。
　
２−２−１．訂正事項(a)
　上記訂正事項(a)は、訂正前の請求項１〜６を削除するものであって、特許請求の範囲の減縮を目的とするものであり、新規事項の追加に該当せず、実質上特許請求の範囲を拡張し、又は変更するものではない。
　
２−２−２．訂正事項(b)
　上記訂正事項(b)は、訂正前の請求項３〜６が削除されたことにともない、訂正前の請求項３に従属する請求項５に従属する請求項６に従属する請求項７を、独立形式請求項である新たな請求項１とするものであって、不明りょうな記載の釈明に該当するものであり、新規事項の追加に該当せず、実質上特許請求の範囲を拡張し、又は変更するものではない。
　
２−２−３．訂正事項(c)
　上記訂正事項(c)は、訂正前の請求項３〜６が削除されたことにともない、訂正前の請求項３に従属する請求項５に従属する請求項６に従属する請求項８を、独立形式請求項である新たな請求項２とするものであって、不明りょうな記載の釈明に該当するものであり、新規事項の追加に該当せず、実質上特許請求の範囲を拡張し、又は変更するものではない。
　
２−２−４．訂正事項(d)
　上記訂正事項(d)は、訂正前の請求項３〜６が削除されたことにともない、訂正前の請求項３に従属する請求項４に従属する請求項５に従属する請求項６に従属する請求項７を、独立形式請求項である新たな請求項３とするものであって、不明りょうな記載の釈明に該当するものであり、新規事項の追加に該当せず、実質上特許請求の範囲を拡張し、又は変更するものではない。
　
２−２−５．訂正事項(e)
　上記訂正事項(e)は、訂正前の請求項３〜６が削除されたことにともない、訂正前の請求項３に従属する請求項４に従属する請求項５に従属する請求項６に従属する請求項８を、独立形式請求項である新たな請求項４とするものであって、不明りょうな記載の釈明に該当するものであり、新規事項の追加に該当せず、実質上特許請求の範囲を拡張し、又は変更するものではない。
　
２−２−６．訂正事項(f)(g)
　上記訂正事項(f)(g)は、訂正前の請求項１〜６が削除され、また、訂正前の請求項７，８が新たな請求項１〜４となったことにともない、発明の詳細な説明の記載を整理するものであって、不明りょうな記載の釈明に該当するものであり、新規事項の追加に該当せず、実質上特許請求の範囲を拡張し、又は変更するものではない。
　
２−３．むすび
　以上のとおりであるから、上記訂正は、特許法第１２０条の４第２項ただし書及び同条第３項において準用する特許法第１２６条第２項から第３項までの規定に適合するので、当該訂正を認める。
　
３．本件発明
　本件特許の請求項１〜４に係る発明は、訂正特許明細書および図面の記載からみて、その請求項１〜４に記載されたとおりの次のものである。(以下「本件発明１」〜「本件発明４」という。)
　
「【請求項１】 データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部と、この検出部により検出されたデータ変移を計数する計数部とを有し、　
　前記データ変移の検出部は、２行３列の６画素データを参照して検出するものであることを特徴とするプラズマ表示装置。
【請求項２】データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部と、この検出部により検出されたデータ変移を計数する計数部とを有し、
　前記データ変移の検出部は、２行５列の１０画素データを参照して検出するものであることを　徴とするプラズマ表示装置。
【請求項３】 データ電極、スキャン電極及びコモン電極と、これらの電極を駆する夫々データドライバ、スキャンドライバ及びコモンドライバと、外部から力された表示データを一旦蓄積しこれを前記データドライバに供給するフレームメモリと、前記フレームメモリから前記データドライバへの表示データの供給　びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサプフィールド数を力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部と、この検出部により検出されたデータ変移を計数する計数部とを有し、　
　前記データ変移の検出部は、２行３列の６画素データを参照して検出するものであり、　
　前記サブフィールド数監視制御部は、表示階調の重み付けが最も軽いサブフィールドからデータの書込・切替を行わないようにして表示階調数を減少させることを特徴とするプラズマ表示装置。
【請求項４】 データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有することを特徴とするプラズマ表示装置であって、
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部と、この検出部により検出されたデータ変移を計数する計数部とを有し、　
　前記データ変移の検出部は、２行５列の１０画素データを参照して検出するものであり、　
　前記サブフィールド数監視制御部は、表示階調の重み付けが最も軽いサブフィールドからデータの書込・切替を行わないようにして表示階調数を減少させることを特徴とするプラズマ表示装置。」
　
４．取消理由通知の概要
　平成１４年３月１９日付取消理由通知の概要は、「訂正前の請求項１〜８に係る発明は、下記刊行物１，２に記載された発明に基づき、当業者が容易に発明できたものであるので、訂正前の請求項１〜８に係る特許は特許法第２９条第２項の規定に違反してされたものである」というものである。
　　　　　　　　　　　　　　　記
刊行物１　　特開平１０−１８７０９３号公報
刊行物２　　特開平７−１５２３４１号公報
　
５．刊行物
５−１．刊行物１
　上記刊行物１は平成１０年７月１４日に頒布されたものであって下記の記載がある。
　
「【０００３】プラズマディスプレイパネル（以下、ＰＤＰという）１２はマトリクス状に配置された複数の放電セルを有する。各放電セルは、アドレス電極配線１３と、これに直交する走査維持電極配線１５および維持電極配線１４とによってその放電・非放電が制御されて、パネル１２全体として所望の発光表示画像を得ている。」(公報第４欄第５〜１０行)
「【００１０】
【発明が解決しようとする課題】従来のプラズマディスプレイなどのマトリクス表示装置の駆動回路では、上述のように、基板上にマトリクス状に配置した電極配線によって放電セルや液晶などの容量成分である負荷を駆動して表示画像を得ている。このため、等価回路的には、互いに隣接する電極配線間に容量成分が形成され、後述するこの容量成分の充放電のために、データドライバの消費電力を低く抑えることが困難であるという第１の問題があった。
【００１１】また、表示画像が精細になり、さらに、例えば千鳥模様などの高域成分を多く含むような画像を表示する場合には、後述するような原理により上記容量成分の充放電量がさらに多くなりデータドライバでの消費電力が増大してしまう。このように、入力画像データに応じてデータドライバの消費電力が決まってしまい、これを所定範囲内に抑えることができないという第２の問題があった。」(公報第５欄第９〜２６行)
「【００４６】また、この発明のマトリクス表示装置は、一デジタル画像表示単位期間を１フィールド期間とし、前記１フィールド期間を表示階調ビット数に応じた数のサブフィールドに時分割して表示することにより階調表示を行う表示装置であって、前記検出手段での検出結果に基づいて、前記消費電力が大きくなるにつれ、前記サブフィールドの内、表示階調ビット数の低ビット側の前記サブフィールドから優先的にその表示を省略すること特徴とするものである。」(公報第９欄第３８〜４６行)
「【０１１０】実施の形態６．次に、図１７および図１８を用いて本実施の形態６について説明する。本実施の形態６では、プラズマディスプレイ装置において階調表示を行う場合に、１つのフィールド（例えばテレビ画面表示の場合に、１ＴＶフィールドは１６．７ｍｓ）を複数のサブフィールドに分割して表示するいわゆるサブフィールド階調表示法を用いている。
【０１１１】サブフィールド階調表示法では、図１８に示すように、１フィールドが、表示階調ビット数Ｎに応じて、そのビット数の最高ビット（ＭＳＢ）側から順に第１サブフィールドＳＦ１、第２サブフィールドＳＦ２・・・第６サブフィールドＳＦ６（最低ビット（ＬＳＢ）側）に割り当てられている（実施の形態６では、Ｎ＝６）。各サブフィールドは、各放電セルにそれぞれアドレスパルスおよび走査パルスが印加されて各放電セルに点灯・非点灯情報が書き込まれるアドレス期間５６と、維持パルスが印加されて表示放電が維持される表示維持期間５７とにより構成されている。各サブフィールドＳＦ１〜ＳＦ６における動作の相違点は、１サブフィールド期間中における維持パルスの印加数の違いであり、表示階調ビットが低くなるにつれて、維持パルスの印加数が少なくなるように割り当てられている。よって、各サブフィールドにおけるデータドライバの消費電力は、維持パルス数違いだけであるので、さほど変わらない値である。」(公報第１９欄第３７行〜第２０欄第１１行)
「【０１２１】実施の形態８．本実施の形態８の特徴は、上述の実施の形態４〜７のように、電流検出器によってデータドライバの消費電力を直接検出するのではなく、コントローラ７０に供給される入力画像データ１に基づいてデータドライバ９における消費電力を予測することである。データドライバ９における消費電力は、図２８および図２９を用いて説明したように、アドレスパルスのスイッチング、つまりデータドライバ出力Ｏｍのスイッチング回数によって決まる。
【０１２２】そこで、実施の形態８においては、図２０に示すようにコントローラ７０内にドライバ電力予測演算部７２を設け、入力画像データ１に基づいてデータドライバ９での消費電力を予測している。予測結果３５は、フィルタコントローラ４に供給され、消費電力が大きくなると予測された場合には、フィルタコントローラ４がこれを判定して、高域成分除去フィルタ２に所定の制御信号３３を出力する。高域成分除去フィルタ２は、この制御信号３３に基づいて、実施の形態４、５と同様な方法によって、入力画像データ１から高域成分を除去する。なお、予測演算部７２の算出結果に基づいて、シーケンスコントローラ５を制御し、一部のサブフィールドの休止を行ってもよい。
【０１２３】次に、入力画像データ１に基づくデータドライバ９での消費電力の算出方法について図２１、図２５、表Ａおよび表示Ｂを用いて説明する。なお、図２１において、列方向はアドレス電極配線Ｗであり、行方向は走査維持電極配線Ｙであり、さらに、各電極配線の交点Ｄ（Ｗ，ＸＹ）はマトリクス状の放電セルを表している。
【０１２４】放電セルＤ（ｋ，ｌ−１）およびＤ（ｋ、ｌ）の表示が次の表（１）の（１）〜（４）ように変化する場合、アドレス電極配線Ｗｋと、走査維持電極配線Ｙおよび維持電極配線Ｘとで形成される静電容量Ｃｘｙに起因した消費電力は、それぞれ下記表Ａの（５）欄に示すようになる。
【０１２５】
【表１】
　次に、アドレス電極配線Ｗｋと隣接するアドレス電極配線Ｗｋ−１との間に形成される静電容量Ｃｗに起因した消費電力は以下のようになる。各アドレス電極配線Ｗｋ、Ｗｋ−１に印加されるアドレスパルスは、ｌ−１行選択期間からｌ行選択期間へと移行する際に、下表Ｂの（１）〜（１６）のような組み合わせのいずれかで変化する。そして、これらの（１）〜（１６）の場合における静電容量Ｃｗに起因した消費電力は、表Ｂの（１７）欄に示すようになる。
【０１２６】
【表２】
　以上の表Ａおよび表Ｂのように、表示パターンに応じたアドレスパルスの変化から各放電セル毎に、データドライバの消費電力を求めることができる。よって、ドライバ電力予測演算部７２は、入力画像データ１から得られる点灯・非点灯情報に基づいて、表示パネル上の放電セルＤ（Ｗ，ＸＹ）のそれぞれについて、例えば、別途格納しておいた上記表Ａ、Ｂを参照して消費電力を求め、その総和を求めれば、一画面分のデータをＰＤＰ１２の各放電セルに書き込む際に要するデータドライバ消費電力を求めることができる。
【０１２７】以上、この実施の形態８のようにデータドライバ消費電力を予測演算して、その結果に基づいて入力画像データから特定成分を除去する事とすれば、１フィールド毎の入力画像の明暗変化が大きい場合などにおいても、一時的にデータドライバでの消費電力が規定値を超えてしまうことを未然に防止できる。」(公報第２１欄第３８行〜第２６欄第４６行)
「【０１３８】また、この発明において、マトリクス表示装置がサブフィールド方式による階調表示を行う場合には、上記検出手段での検出結果に基づいて、消費電力が大きくなるにつれ、サブフィールドの内、表示階調ビット数の低ビット側のサブフィールドから優先的にその表示を省略することによっても、駆動電極ドライバ手段での消費電力の低減を図ることが可能である。」(公報第２９欄第１〜７行)
「【０１４０】また、この発明において、入力画像データに基づいて駆動電極ドライバ手段での消費電力を予測演算によって検出する構成とすれば、未然に消費電力の増加を防止することができる。従って、一画面表示期間（１フィールド）毎に、表示画面の明暗が反転するなど、明暗の変化が速い画像などを表示する場合であっても、一時的にドライバ手段での消費電力が許容範囲を超えてしまうといった可能性を確実になくすことができる。」(公報第２９欄第１７〜２５行)
　また、図１，２２には、走査維持電極１５を駆動する「走査維持ドライバ１１」、維持電極１４を駆動する「維持ドライバ１０」、アドレス電極１３を駆動する「データドライバ１９」、これらを制御するとともに表示データを供給する「コントローラ２０」が存在することがみてとれる。
　そして、図２１には、放電セルＤ（ｋ−１，ｌ−１），Ｄ（ｋ，ｌ−１），Ｄ（ｋ−１，ｌ），Ｄ（ｋ，ｌ）の位置関係がみてとれる。
　
　ここで、上記記載を検討する。
　第一に、上記「プラズマディスプレイパネル（以下、ＰＤＰという）１２はマトリクス状に配置された複数の放電セルを有する。各放電セルは、アドレス電極配線１３と、これに直交する走査維持電極配線１５および維持電極配線１４とによってその放電・非放電が制御されて、パネル１２全体として所望の発光表示画像を得ている。」からみて、上記刊行物１記載の発明が「複数の走査維持電極１５と維持電極１４を配列し、前記走査維持電極１５とは直交するように複数のアドレス電極１３を配列し、前記走査維持電極１５と前記アドレス電極１３との各交点に放電セルを形成し、表示データに基づき前記走査維持電極と前記アドレス電極１３との間で書き込みを行い、前記走査維持電極１５と前記維持電極１４との間でこの維持放電を行うことによって表示を行うＰＤＰ１２を用いるプラズマ表示装置」に係るものであることは明らかである。
　第二に、「この発明のマトリクス表示装置は、一デジタル画像表示単位期間を１フィールド期間とし、前記１フィールド期間を表示階調ビット数に応じた数のサブフィールドに時分割して表示することにより階調表示を行う表示装置」「各サブフィールドＳＦ１〜ＳＦ６における動作の相違点は、１サブフィールド期間中における維持パルスの印加数の違いであり、表示階調ビットが低くなるにつれて、維持パルスの印加数が少なくなるように割り当てられている。」との記載からみて、上記刊行物１記載の発明が「１フィールド期間を維持パルスの回数で重み付けされた複数のサブフィールド期間に分割して階調表示する」ものであることは明らかである。
　第三に、「放電セルＤ（ｋ，ｌ−１）およびＤ（ｋ、ｌ）の表示が次の表（１）の（１）〜（４）ように変化する場合、アドレス電極配線Ｗｋと、走査維持電極配線Ｙおよび維持電極配線Ｘとで形成される静電容量Ｃｘｙに起因した消費電力は、それぞれ下記表Ａの（５）欄に示すようになる。」「次に、アドレス電極配線Ｗｋと隣接するアドレス電極配線Ｗｋ−１との間に形成される静電容量Ｃｗに起因した消費電力は以下のようになる。各アドレス電極配線Ｗｋ、Ｗｋ−１に印加されるアドレスパルスは、ｌ−１行選択期間からｌ行選択期間へと移行する際に、下表Ｂの（１）〜（１６）のような組み合わせのいずれかで変化する。そして、これらの（１）〜（１６）の場合における静電容量Ｃｗに起因した消費電力は、表Ｂの（１７）欄に示すようになる。」「よって、ドライバ電力予測演算部７２は、入力画像データ１から得られる点灯・非点灯情報に基づいて、表示パネル上の放電セルＤ（Ｗ，ＸＹ）のそれぞれについて、例えば、別途格納しておいた上記表Ａ、Ｂを参照して消費電力を求め、その総和を求めれば、一画面分のデータをＰＤＰ１２の各放電セルに書き込む際に要するデータドライバ消費電力を求めることができる。」および表Ａ，Ｂの記載からみて、上記刊行物１記載の発明が「アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し、その総和を求めることによって、一画面分のデータをＰＤＰ１２の各放電セルに書き込む際に要するデータドライバ消費電力を求めるドライバ電力予測演算部７２」を有することも明らかである。
　第四に、「また、この発明のマトリクス表示装置は、一デジタル画像表示単位期間を１フィールド期間とし、前記１フィールド期間を表示階調ビット数に応じた数のサブフィールドに時分割して表示することにより階調表示を行う表示装置であって、前記検出手段での検出結果に基づいて、前記消費電力が大きくなるにつれ、前記サブフィールドの内、表示階調ビット数の低ビット側の前記サブフィールドから優先的にその表示を省略すること特徴とするものである。」「そこで、実施の形態８においては、図２０に示すようにコントローラ７０内にドライバ電力予測演算部７２を設け、入力画像データ１に基づいてデータドライバ９での消費電力を予測している。」「なお、予測演算部７２の算出結果に基づいて、シーケンスコントローラ５を制御し、一部のサブフィールドの休止を行ってもよい。」との記載からみて、上記刊行物１記載の発明が「大きな電力が消費される表示に際しては、表示階調の重み付けが最も軽いサブフィールドから表示を省略して表示階調を減少させて表示させる」ものであることも明らかである。
　第五に、上記「実施の形態８．本実施の形態８の特徴は、上述の実施の形態４〜７のように、電流検出器によってデータドライバの消費電力を直接検出するのではなく、コントローラ７０に供給される入力画像データ１に基づいてデータドライバ９における消費電力を予測することである。」という記載、および、上記図１，２２の記載からみて、上記刊行物１記載の発明が走査維持電極１５を駆動する「走査維持ドライバ１１」、維持電極１４を駆動する「維持ドライバ１０」、アドレス電極１３を駆動する「データドライバ１９」、および、これらを制御するとともに表示データを供給する「コントローラ２０，７０」を有することも明らかである。
　
　したがって、上記刊行物１には「近接して対をなす複数の走査維持電極１５と維持電極１４を配列し、前記走査維持電極１５とは直交するように複数のアドレス電極１３を配列し、また、走査維持電極１５を駆動する走査維持ドライバ１１、維持電極１４を駆動する維持ドライバ１０、アドレス電極１３を駆動するデータドライバ１９、これらを制御するとともに表示データを供給するコントローラ２０，７０を有し、前記走査維持電極と前記アドレス電極との各交点に放電セルを形成し、表示データに基づき前記走査維持電極と前記アドレス電極との間で書き込みを行い、前記走査維持電極と前記維持電極との間でこの維持放電を行うことによって表示を行うＰＤＰ１２を用い、１フィールド期間を維持パルスの回数で重み付けされた複数のサブフィールド期間に分割して階調表示するプラズマ表示装置において、コントローラ２０，７０内に、アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し、その総和を求めることによって、一画面分のデータをＰＤＰ１２の各放電セルに書き込む際に要するデータドライバ消費電力を求めるドライバ電力予測演算部７２を有し、大きな電力が消費される表示に際しては、表示階調の重み付けが最も軽いサブフィールドから表示を省略して表示階調を減少させて表示させることを特徴とするプラズマ表示装置」(以下「刊行物１記載の発明」という。)が記載されている。
　
５−２．刊行物２
　上記刊行物２は平成７年６月１６日に頒布されたものであって下記の記載がある。
　
「【０００５】これを回避するために、カラープラズマディスプレイ装置では、面放電を利用した３電極構造が一般に用いられている。さらに、この３電極型においても、第３の電極を維持放電を行う第１と第２の電極が配置されている基板に当該第３の電極を形成する場合と、対向するもう一つの基板に当該第３の電極を配置する場合がある。」(公報第２欄第３６〜４２行)
「【０００８】即ち、当該プラズマディスプレイ装置は、図６及び図７から判る様に、２枚のガラス基板１２、１３によって構成されている。第１の基板１３には、互いに平行して配置された維持電極として作動する第１の電極（Ｘ電極）１４、および第２の電極（Ｙ電極）１５を備え、それらは、誘電体層１８で被覆されている。更に、該誘電体層１８からなる放電面には保護膜としてＭｇＯ（酸化マグネシューム）膜等で構成された被膜２１が形成されている。
【０００９】一方、前記第１のガラス基板１３と向かい合う第２の基板１２の表面には、第３の電極即ちアドレス電極として作動する電極１６が、該維持電極１４、１５と直交する形で形成されている。また、アドレス電極１６上には、赤、緑、青の発光特性の一つを持つ蛍光体１９が、該第２の基板１２の該アドレス電極が配置されている面と同一の面に形成されている壁部１７によって規定される放電空間２０内に、配置されている。」(公報第３欄第９〜２５行)
「図８から明らかな様に、該アドレスドライバ３１は、制御回路３５に設けた表示データ制御部３６と接続されており、該表示データ制御部３６は、外部から入力される、表示データを示すドットクロック信号（CLOCK)及び表示データ信号（DATA) から、該表示データ制御部３６内部に設けられた例えばフレームメモリ等３７を使用して、１フレーム内に於いて、選択されるべきアドレス電極のアドレスタイミングに同期させたデータを出力する。」(公報第４欄第４〜１２行)
　
　したがって、上記刊行物２には「第１の基板１３および第２の基板１２によって構成され、面放電を利用した３電極構造のカラープラズマディスプレイ装置において、第１の基板１３に第１の電極１４および第２の電極１５を備え、第２の基板１２の表面には、第１の電極１４および第２の電極１５と直交する形で第３の電極を配置し、フレームメモリ３７を使用して、１フレーム内に選択されるべき電極のタイミングに同期させたデータを出力することを特徴とするプラズマディスプレイ装置」(以下「周知事項１」という。)が記載されている。
　
６．対比・判断
６−１．本件発明１
　本件発明１と上記刊行物１記載の発明を比較する。
　
　第一に、上記刊行物１記載の発明の「走査維持電極１５」「維持電極１４」「アドレス電極１３」「データドライバ１９」「走査維持ドライバ１１」「維持ドライバ１０」が、本件発明１の「スキャン電極」「コモン電極」「データ電極」「データドライバ」「スキャンドライバ」「維持ドライバ」に相当することは明らかである。
　第二に、上記刊行物１記載の発明の「コントローラ２０，７０」は「表示データを供給する」ものであるから、上記刊行物１記載の発明は、本件発明１の「表示駆動制御部」の行う「データドライバへの表示データの供給」を行う構成に相当する構成を有している。
　第三に、上記刊行物１記載の発明の「ドライバ電力予測演算部７２」は、「表示データの変化の種類に応じて予測」することによって「データドライバ消費電力」を求めていること、また、「表示データの変化」を検出するためには「表示データとデータ転送クロックを入力」する必要があることは技術的に明らかであることから、上記刊行物１記載の発明は、本件発明１の「データドライバ損失量予測部」の行う「表示データとデータ転送クロックを入力してデータ変移の検出」をし「データ変移パターンの種類に応じた電力量比率を加重し、最大値のＩＣの損失量を抽出してデータドライバ損失量を予測し」という構成、および、「データ変移の検出部」に相当する構成を有している。
　第四に、上記刊行物１記載の発明は「大きな電力が消費される表示に際しては、表示階調の重み付けが最も軽いサブフィールドから表示を省略して表示階調を減少させて表示させる」ものであるから、本件発明１の「サブフィールド数監視制御部」に相当する構成を有することは明らかであり、また、「データドライバ損失量予測部」の行う「サブフィールド数を指定する」という構成、本件発明１の「表示駆動制御部」の「データドライバ、スキャンドライバ及びコモンドライバの駆動タイミング信号の供給により階調表示に必要なサブフィールドシーケンス制御を行う」という構成、に相当する構成を有していることは明らかである。
　
　したがって、本件発明１と上記刊行物１記載の発明は「データ電極、スキャン電極及びコモン電極と、これらの電極を駆動する夫々データドライバ、スキャンドライバ及びコモンドライバと、前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記表示駆動制御部からの表示データとデータ転送クロックを入力してデータ変移の検出を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部を有する、　
　ことを特徴とするプラズマ表示装置。」という点で一致し、下記の点で相違する。
　
(あ)　本件発明１は「外部から入力された表示データを一旦蓄積しこれを前記データドライバに供給するフレームメモリ」を有するのに対し、上記刊行物１記載の発明が「フレームメモリ」を有するか否かが刊行物１には記載されていない点。
(い)　本件発明１の「データ変移の検出計数部」は「データ変移を計数する計数部」を有するのに対し、上記刊行物１記載の発明が「データ変移を計数する計数部」を有するか否かが刊行物１には記載されていない点。
(う)　本件発明１の「データ変移の検出部」は「２行３列の６画素データを参照して検出するもの」であり、それに基づいてデータドライバ損失量を予測しているのに対し、上記刊行物１記載の発明は「アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し」、その総和を求めること、すなわち、２行２列の４画素データを参照して、データドライバ消費電力を求めている点。
　
　ここで、上記相違点について検討する。
　
６−１−１．相違点(あ)
　上記周知事項１にもみられるように「フレームメモリ」は「プラズマディスプレイ装置」が通常有する構成にすぎないから、上記相違点(あ)は実質的な相違点ではない。
　
６−１−２．相違点(い)
　上記刊行物１記載の発明は「総和を求めることによって」「データドライバ消費電力を求める」ものであること、また、上記刊行物１の「表Ａ」に記載される「Ｃｘｙでの消費電力」は「０」，「(Ｃｘｙ・Ｖｗ２)／２」の２種類であり、「表Ｂ」に記載される「Ｃｗでの消費電力」は「０」，「(Ｃｗ・Ｖｗ２)／２」，「２×Ｃｗ・Ｖｗ２」の３種類のみであることを考えると、上記「総和」を求めるために、データ変移を場合分けして計数し、計数された値にそれぞれ上記「Ｃｘｙでの消費電力」「Ｃｗでの消費電力」を掛け合わせることは、当業者が適宜採用しうる設計的事項にすぎない。
　
６−１−３．相違点(う)
　本件発明１は、実際にどのように計算することによって、２行３列の６画素データのデータ変移から、どのようにデータドライバ損失量を計算しているか限定されていないが、本件訂正明細書段落【００２１】〜【００２９】，図２〜６，図１１〜１３の実施例の記載から見て、少なくとも、本件発明１は、α∝Ｃ1(=Ｃ11+Ｃ12)×(電圧Ｖ)２，β∝Ｃ２×(電圧Ｖ)２としたときに、(1)対向電極間容量Ｃ1=Ｃ11+Ｃ12に係る電力消費を、Ｄ(Ｘｊ，Ｙｋ−１)とＤ(Ｘｊ，Ｙｋ)間にデータ変移があるか否かを検出し、それを計数した後に、電力量比率αを乗ずることによって求め、(2)隣接電極間容量Ｃ2に係る電力消費を、Ｄ(Ｘｊ，Ｙｋ−１)とＤ(Ｘｊ，Ｙｋ)間にデータ変移があるか否かを検出し、このデータ変移があった場合において、Ｄ(Ｘｊ−１，Ｙｋ−１)とＤ(Ｘｊ−１，Ｙｋ)間にデータ変移がないか、この間にＤ(Ｘｊ，Ｙｋ−１)とＤ(Ｘｊ，Ｙｋ)間と逆方向のデータ変移があったかを検出し、また、同様の検出をＤ(Ｘｊ＋１，Ｙｋ−１)とＤ(Ｘｊ＋１，Ｙｋ)間でも行い、これら４種類のデータ変移をそれぞれ計数した後に、それぞれ電力比率β，２β，β，２βを乗算し、総計するものを含んでいる。
　ここで、上記刊行物１記載の発明の「Ｃｘｙ」「Ｃｗ」が、それぞれ上記「対向電極間容量Ｃ1」「隣接電極間容量Ｃ2」に対応することは明らかであるから、それを前提として、上記本件訂正明細書に記載されたそれぞれの画素に関する消費電力の算出方法と、上記刊行物１に「表Ａ」「表Ｂ」を中心として記載されるそれぞれの画素に関する消費電力の算出方法を比較する。
　まず、上記「対向電極間容量Ｃ1に係る消費電力」の求め方と、上記「Ｃｘｙでの消費電力」の求め方は同一であることは明らかである。
　次に、上記「隣接電極間容量Ｃ2に係る消費電力」の求め方と、上記「Ｃｗでの消費電力」の求め方の相違について検討するに、上記「隣接電極間容量Ｃ2に係る消費電力」の求め方は、注目される画素の前(左)の列、後(右)の列双方をデータ変移検出の対象とし、かつ、データ変移の種類に対応した消費電力が０，β，２βとして計算されているのに対し、上記「Ｃｗでの消費電力」の求め方は、注目される画素の前(左)の列のみをデータ変移検出の対象とし、かつ、データ変移の種類に対応した消費電力が「０」，「(Ｃｗ・Ｖｗ２)／２」，「２×Ｃｗ・Ｖｗ２」として計算されている点で異なっている。
　しかし、本件発明１も上記刊行物１記載の発明も、最終的にはドライバＩＣの消費電力を計算するものであって、それぞれの画素に関する消費電力を総計するものであることを考えると、上記「隣接電極間容量Ｃ2に係る消費電力」の求め方では、同じ画素の組み合わせに対して２回づつ重複して計算している部分が存在することは明らかである。そして、そのような重複計算が存在するために、上記「隣接電極間容量Ｃ2に係る消費電力」の求め方では、データ変移の種類に対応した消費電力が０，β，２βとして計算されているのに対し、上記「Ｃｗでの消費電力」の求め方では、データ変移の種類に対応した消費電力が「０」，「(Ｃｗ・Ｖｗ２)／２」，「２×Ｃｗ・Ｖｗ２」となること、すなわち、重複して計算することとなる３種類目の係数が、実質的に重複して計算することとはならない２種類目の係数(この場合は、形式的に重複して計算する部分の係数が０である。)に比べ、上記「隣接電極間容量Ｃ2に係る消費電力」の求め方では２倍であるのに対し、上記「Ｃｗでの消費電力」の求め方では４倍となっており、画面全体を総計すると等しくなることも明らかである。
　してみれば、上記刊行物１記載の発明の、２行２列の４画素データを参照するものと、本件発明１の２行３列の６画素データを参照するものとは、画面全体を総計すると差異はないから、２行２列の４画素データを参照するものに代えて、２行３列の６画素データを参照するようにすることは、当業者が容易に想到し得たものである。
　
　したがって、上記相違点(う)は当業者が容易になし得たことにすぎない。
　
６−１−４．特許権者の主張
　特許権者は、平成１４年５月２８日付特許異議意見書第３頁第３〜１０行において「ある列ｊについてその前後のｊ−１列およびｊ＋１列について演算を行っているので、次のデータ検出はｊ＋３に着目して行えば住むことになります。なぜなら、データ検出は全ての列(ｊ＝１〜ｎ)について行うことになりますが、重複して演算する必要はないからです。」と主張しているが、特許請求の範囲にも、発明の詳細な説明にも、特許権者が主張するように計算することは記載されていないことから見て、この主張を採用することは出来ない。したがって、この主張に基づく「演算処理時間が短縮できる」(同書同頁第９行)との主張も採用することは出来ない。また、この特許権者の主張の通り計算していたとしても、最終的に消費電力を計算するためには、すべての画素に対して計算しなければならないことを考えれば、上記「演算処理時間が短縮できる」との効果が得られるものとは認められない。
　
６−１−５．まとめ
　したがって、本件発明１は、上記刊行物１記載の発明および上記周知技術に基づき当業者が容易に発明できたものである。
　
６−２．本件発明２
　本件発明２と上記刊行物１記載の発明を比較する。
　
　第一に、上記刊行物１記載の発明の「走査維持電極１５」「維持電極１４」「アドレス電極１３」「データドライバ１９」「走査維持ドライバ１１」「維持ドライバ１０」が、本件発明２の「スキャン電極」「コモン電極」「データ電極」「データドライバ」「スキャンドライバ」「維持ドライバ」に相当することは明らかである。
　第二に、上記刊行物１記載の発明の「コントローラ２０，７０」は「表示データを供給する」ものであるから、上記刊行物１記載の発明は、本件発明２の「表示駆動制御部」の行う「データドライバへの表示データの供給」を行う構成に相当する構成を有している。
　第三に、上記刊行物１記載の発明の「ドライバ電力予測演算部７２」は、「表示データの変化の種類に応じて予測」することによって「データドライバ消費電力」を求めていること、また、「表示データの変化」を検出するためには「表示データとデータ転送クロックを入力」する必要があることは技術的に明らかであることから、上記刊行物１記載の発明は、本件発明２の「データドライバ損失量予測部」の行う「表示データとデータ転送クロックを入力してデータ変移の検出」をし「データ変移パターンの種類に応じた電力量比率を加重し、最大値のＩＣの損失量を抽出してデータドライバ損失量を予測し」という構成、および、「データ変移の検出部」に相当する構成を有している。
　第四に、上記刊行物１記載の発明は「大きな電力が消費される表示に際しては、表示階調の重み付けが最も軽いサブフィールドから表示を省略して表示階調を減少させて表示させる」ものであるから、本件発明２の「サブフィールド数監視制御部」に相当する構成を有することは明らかであり、また、「データドライバ損失量予測部」の行う「サブフィールド数を指定する」という構成、本件発明２の「表示駆動制御部」の「データドライバ、スキャンドライバ及びコモンドライバの駆動タイミング信号の供給により階調表示に必要なサブフィールドシーケンス制御を行う」という構成、に相当する構成を有していることは明らかである。
　
　したがって、本件発明２と上記刊行物１記載の発明は「データ電極、スキャン電極及びコモン電極と、これらの電極を駆動する夫々データドライバ、スキャンドライバ及びコモンドライバと、前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記表示駆動制御部からの表示データとデータ転送クロックを入力してデータ変移の検出を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部を有する、　
　ことを特徴とするプラズマ表示装置。」という点で一致し、下記の点で相違する。
　
(え)　本件発明２は「外部から入力された表示データを一旦蓄積しこれを前記データドライバに供給するフレームメモリ」を有するのに対し、上記刊行物１記載の発明が「フレームメモリ」を有するか否かが刊行物１には記載されていない点。
(お)　本件発明２の「データ変移の検出計数部」は「データ変移を計数する計数部」を有するのに対し、上記刊行物１記載の発明が「データ変移を計数する計数部」を有するか否かが刊行物１には記載されていない点。
(か)　本件発明２の「データ変移の検出部」は「２行５列の１０画素データを参照して検出するもの」であり、それに基づいてデータドライバ損失量を予測しているのに対し、上記刊行物１記載の発明は「アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し」、その総和を求めることによってデータドライバ消費電力を求めている点。
　
　ここで、上記相違点について検討するが、上記相違点(え)(お)は本件発明１における相違点(あ)(い)と同一の相違点であるので、上記「６−１−１．相違点(あ)」「６−１−２．相違点(い)」を引用し、以下上記相違点(か)についてのみ検討する。
　
６−２−１．相違点(か)
　本件発明２は、実際にどのように計算することによって、２行５列の１０画素データのデータ変移から、データドライバ損失量を計算しているか限定されていないが、本件訂正明細書段落【００２１】〜【００２９】，図２〜６，図１１〜１３の記載から見て、少なくとも、本件発明２は、α∝Ｃ1(=Ｃ11+Ｃ12)×(電圧Ｖ)２，β∝Ｃ２×(電圧Ｖ)２としたときに、(1)対向電極間容量Ｃ1=Ｃ11+Ｃ12に係る電力消費を、Ｄ(Ｘｊ，Ｙｋ−１)とＤ(Ｘｊ，Ｙｋ)間にデータ変移があるか否かを検出し、それを計数した後に、電力量比率αを乗ずることによって求め、(2)隣接電極間容量Ｃ2に係る電力消費を、Ｄ(Ｘｊ，Ｙｋ−１)とＤ(Ｘｊ，Ｙｋ)間にデータ変移があるか否かを検出し、このデータ変移があった場合において、Ｄ(Ｘｊ−１，Ｙｋ−１)とＤ(Ｘｊ−１，Ｙｋ)間にデータ変移がないか、この間にＤ(Ｘｊ，Ｙｋ−１)とＤ(Ｘｊ，Ｙｋ)間と逆方向のデータ変移があったかを検出し、また、同様の検出をＤ(Ｘｊ＋１，Ｙｋ−１)とＤ(Ｘｊ＋１，Ｙｋ)間でも行い、これら４種類のデータ変移をそれぞれ計数した後に、それぞれ電力比率β，２β，β，２βを乗算することによって求め、(3)隣接電極間容量Ｃ３に係る電力消費を隣接電極間容量Ｃ2に係る電力消費と同じ方法で求め、総計するものを含んでいる。
　ここで、上記「６−１−３．相違点(う)」でも述べたように、上記「対向電極間容量Ｃ1に係る消費電力」の求め方と、上記「Ｃｘｙでの消費電力」の求め方は同一であることは明らかであり、また、上記「隣接電極間容量Ｃ2に係る消費電力」の求め方は、上記「Ｃｗでの消費電力」の求め方に基づいて当業者が容易になし得たことである。そして、本件発明２が注目している隣接電極間容量Ｃ３が隣接電極間容量Ｃ2と併せて存在することは、当業者には明らかであるから、より精度良く消費電力を予測するために、２行５列の画素データを参照するようにすることは、当業者ならば容易に想到し得るものである。
　
　したがって、上記相違点(か)は当業者が容易になし得たことである。
　
６−２−２．まとめ
　したがって、本件発明２は、上記刊行物１記載の発明および上記周知技術に基づき当業者が容易に発明できたものである。
　
６−３．本件発明３
　本件発明３と上記刊行物１記載の発明を比較する。
　
　第一に、上記刊行物１記載の発明の「走査維持電極１５」「維持電極１４」「アドレス電極１３」「データドライバ１９」「走査維持ドライバ１１」「維持ドライバ１０」が、本件発明３の「スキャン電極」「コモン電極」「データ電極」「データドライバ」「スキャンドライバ」「維持ドライバ」に相当することは明らかである。
　第二に、上記刊行物１記載の発明の「コントローラ２０，７０」は「表示データを供給する」ものであるから、上記刊行物１記載の発明は、本件発明３の「表示駆動制御部」の行う「データドライバへの表示データの供給」を行う構成に相当する構成を有している。
　第三に、上記刊行物１記載の発明の「ドライバ電力予測演算部７２」は、「表示データの変化の種類に応じて予測」することによって「データドライバ消費電力」を求めていること、また、「表示データの変化」を検出するためには「表示データとデータ転送クロックを入力」する必要があることは技術的に明らかであることから、上記刊行物１記載の発明は、本件発明３の「データドライバ損失量予測部」の行う「表示データとデータ転送クロックを入力してデータ変移の検出」をし「データ変移パターンの種類に応じた電力量比率を加重し、最大値のＩＣの損失量を抽出してデータドライバ損失量を予測し」という構成、および、「データ変移の検出部」に相当する構成を有している。
　第四に、上記刊行物１記載の発明は「大きな電力が消費される表示に際しては、表示階調の重み付けが最も軽いサブフィールドから表示を省略して表示階調を減少させて表示させる」ものであるから、本件発明３の「サブフィールド数監視制御部」に相当する構成、および、「サブフィールド数監視制御部は、表示階調の重み付けが最も軽いサブフィールドからデータの書込・切替を行わないようにして表示階調数を減少させる」に相当する構成を有することは明らかであり、また、「データドライバ損失量予測部」の行う「サブフィールド数を指定する」という構成、本件発明３の「表示駆動制御部」の「データドライバ、スキャンドライバ及びコモンドライバの駆動タイミング信号の供給により階調表示に必要なサブフィールドシーケンス制御を行う」という構成、に相当する構成を有していることは明らかである。
　
　したがって、本件発明３と上記刊行物１記載の発明は「データ電極、スキャン電極及びコモン電極と、これらの電極を駆動する夫々データドライバ、スキャンドライバ及びコモンドライバと、前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記表示駆動制御部からの表示データとデータ転送クロックを入力してデータ変移の検出を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部を有し、
　前記サブフィールド数監視制御部は、表示階調の重み付けが最も軽いサブフィールドからデータの書込・切替を行わないようにして表示階調数を減少させる、　
　ことを特徴とするプラズマ表示装置。」という点で一致し、下記の点で相違する。
　
(き)　本件発明３は「外部から入力された表示データを一旦蓄積しこれを前記データドライバに供給するフレームメモリ」を有するのに対し、上記刊行物１記載の発明が「フレームメモリ」を有するか否かが刊行物１には記載されていない点。
(く)　本件発明３の「データ変移の検出計数部」は「データ変移を計数する計数部」を有するのに対し、上記刊行物１記載の発明が「データ変移を計数する計数部」を有するか否かが刊行物１には記載されていない点。
(け)　本件発明３の「データ変移の検出部」は「２行３列の６画素データを参照して検出するもの」であり、それに基づいてデータドライバ損失量を予測しているのに対し、上記刊行物１記載の発明は「アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し」、その総和を求めることによってデータドライバ消費電力を求めている点。
　
　ここで、上記相違点について検討するが、上記相違点(き)(く)(け)は本件発明１における相違点(あ)(い)(う)と同一の相違点であるので、上記「６−１−１．相違点(あ)」「６−１−２．相違点(い)」「６−１−３．相違点(う)」を引用する。
　
　したがって、本件発明３は、上記刊行物１記載の発明および上記周知技術に基づき当業者が容易に発明できたものである。
　
６−４．本件発明４
　本件発明４と上記刊行物１記載の発明を比較する。
　
　第一に、上記刊行物１記載の発明の「走査維持電極１５」「維持電極１４」「アドレス電極１３」「データドライバ１９」「走査維持ドライバ１１」「維持ドライバ１０」が、本件発明４の「スキャン電極」「コモン電極」「データ電極」「データドライバ」「スキャンドライバ」「維持ドライバ」に相当することは明らかである。
　第二に、上記刊行物１記載の発明の「コントローラ２０，７０」は「表示データを供給する」ものであるから、上記刊行物１記載の発明は、本件発明４の「表示駆動制御部」の行う「データドライバへの表示データの供給」を行う構成に相当する構成を有している。
　第三に、上記刊行物１記載の発明の「ドライバ電力予測演算部７２」は、「表示データの変化の種類に応じて予測」することによって「データドライバ消費電力」を求めていること、また、「表示データの変化」を検出するためには「表示データとデータ転送クロックを入力」する必要があることは技術的に明らかであることから、上記刊行物１記載の発明は、本件発明４の「データドライバ損失量予測部」の行う「表示データとデータ転送クロックを入力してデータ変移の検出」をし「データ変移パターンの種類に応じた電力量比率を加重し、最大値のＩＣの損失量を抽出してデータドライバ損失量を予測し」という構成、および、「データ変移の検出部」に相当する構成を有している。
　第四に、上記刊行物１記載の発明は「大きな電力が消費される表示に際しては、表示階調の重み付けが最も軽いサブフィールドから表示を省略して表示階調を減少させて表示させる」ものであるから、本件発明４の「サブフィールド数監視制御部」に相当する構成、および、「サブフィールド数監視制御部は、表示階調の重み付けが最も軽いサブフィールドからデータの書込・切替を行わないようにして表示階調数を減少させる」に相当する構成を有することは明らかであり、また、「データドライバ損失量予測部」の行う「サブフィールド数を指定する」という構成、本件発明４の「表示駆動制御部」の「データドライバ、スキャンドライバ及びコモンドライバの駆動タイミング信号の供給により階調表示に必要なサブフィールドシーケンス制御を行う」という構成、に相当する構成を有していることは明らかである。
　
　したがって、本件発明４と上記刊行物１記載の発明は「データ電極、スキャン電極及びコモン電極と、これらの電極を駆動する夫々データドライバ、スキャンドライバ及びコモンドライバと、前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、　
　前記サブフィールド数監視制御部は、前記表示駆動制御部からの表示データとデータ転送クロックを入力してデータ変移の検出を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、　
　前記データ変移の検出計数部は、データ変移の検出部を有し、
　前記サブフィールド数監視制御部は、表示階調の重み付けが最も軽いサブフィールドからデータの書込・切替を行わないようにして表示階調数を減少させる、　
　ことを特徴とするプラズマ表示装置。」という点で一致し、下記の点で相違する。
　
(こ)　本件発明４は「外部から入力された表示データを一旦蓄積しこれを前記データドライバに供給するフレームメモリ」を有するのに対し、上記刊行物１記載の発明が「フレームメモリ」を有するか否かが刊行物１には記載されていない点。
(さ)　本件発明４の「データ変移の検出計数部」は「データ変移を計数する計数部」を有するのに対し、上記刊行物１記載の発明が「データ変移を計数する計数部」を有するか否かが刊行物１には記載されていない点。
(し)　本件発明４の「データ変移の検出部」は「２行５列の１０画素データを参照して検出するもの」であり、それに基づいてデータドライバ損失量を予測しているのに対し、上記刊行物１記載の発明は「アドレス電極配線Ｗｋと、走査維持電極配線Ｙおよび維持電極配線Ｘとで形成される静電容量Ｃｘｙに起因した消費電力を放電セルＤ（ｋ，ｌ−１）およびＤ（ｋ、ｌ）の表示データの変化の種類に応じて予測し、また、アドレス電極配線Ｗｋと隣接するアドレス電極配線Ｗｋ−１との間に形成される静電容量Ｃｗに起因した消費電力を放電セルＤ（ｋ−１，ｌ−１），Ｄ（ｋ，ｌ−１），Ｄ（ｋ−１，ｌ），Ｄ（ｋ，ｌ）の表示データの変化の種類に応じて予測し」、その総和を求めることによってデータドライバ消費電力を求めている点。
　
　ここで、上記相違点について検討するが、上記相違点(こ)(さ)(し)は本件発明１における相違点(あ)(い)、および、本件発明２における相違点(か)と同一の相違点であるので、上記「６−１−１．相違点(あ)」「６−１−２．相違点(い)」「６−２−１．相違点(か)」を引用する。
　
　したがって、本件発明４は、上記刊行物１記載の発明および上記周知技術に基づき当業者が容易に発明できたものである。
　
７．むすび
　以上のとおり、本件発明１〜４は上記刊行物１記載の発明および上記周知技術に基づき当業者が容易に発明できたものであるから、本件発明１〜４の特許は、特許法第２９条第２項の規定に違反してされたものであり、同法第１１３条第２号に該当し、取り消されるべきものである。
　よって、結論のとおり決定する。
【異議決定日】
平成１４年６月２５日（２００２．６．２５）
【訂正の要旨】
訂正の要旨
（ａ）　訂正前の請求項１〜６を削除する。
（ｂ）　訂正前の請求項３に従属する請求項５に従属する請求項６に従属する請求項７を、独立形式請求項である新たな請求項１として、下記のように訂正する。
「【請求項１】　データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　前記データ変移の検出計数部は、データ変移の検出部と、この検出部により検出されたデータ変移を計数する計数部とを有し、
　
前記データ変移の検出部は、２行３列の６画素データを参照して検出するものであることを特徴とするプラズマ表示装置。」
（ｃ）　訂正前の請求項３に従属する請求項５に従属する請求項６に従属する請求項８を、独立形式請求項である新たな請求項２として、下記のように訂正する。
「【請求項２】データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
前記データ変移の検出部は、２行５列の１０画素データを参昭して検出するものであることを　徴とするプラズマ表示装置。」
（ｄ）　訂正前の請求項３に従属する請求項４に従属する請求項５に従属する請求項６に従属する請求項７を、独立形式請求項である新たな請求項３として、下記のように訂正する。
「【請求項３】　データ電極、スキャン電極及びコモン電極と、これらの電極を駆する夫々データドライバ、スキャンドライバ及びコモンドライバと、外部から力された表示データを一旦蓄積しこれを前記データドライバに供給するフレームメモリと、前記フレームメモリから前記データドライバへの表示データの供給　びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサプフィールド数を力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は　データ変移の検出部と、この検出部により検出されたデータ変移を計数する計数部とを有し、
　
前記データ変移の検出部は、２行３列の６画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。」
（ｅ）　訂正前の請求項３に従属する請求項４に従属する請求項５に従属する請求項６に従属する請求項８を、独立形式請求項である新たな請求項４として、下記のように訂正する。
「【請求項４】　データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有することを特徴とするプラズマ表示装置であって、
　前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有
し、
　
前記データ変移の検出計数部は、データ変移の検出部と、この検出部により検出されたデータ変移を計数する計数部とを有し、
　
前記データ変移の検出部は、２行５列の１０画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。」
（ｆ）　発明の詳細な説明の段落【０００８】【０００９】【００１１】【００１２】を削除する。
（ｇ）　発明の詳細な説明の段落【００１０】を下記のように訂正する。
「本発明に係るプラズマ表示装置は、データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、前記サブフィールド数監視制御部は、表示階調の重み付けが最も軽いサブフィールドからデータの書込・切替を行わないようにして表示階調数を減少させるように構成することができ、また、前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、前記データ変移の検出計数部は、データ変移の検出部と、この検出部により検出されたデータ変移を計数する計数部とを有するように構成することができ、前記データ変移の検出部は、２行３列の６画素データを参照して検出するものであるか、又は前記データ変移の検出部は、２行５列の１０画素データを参照して検出するものとして構成することができる。」
（５４）【発明の名称】
プラズマ表示方法及びプラズマ表示装置
（５７）【特許請求の範囲】
　【請求項１】
　データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行３列の６画素データを参照して検出するものであることを特徴とするプラズマ表示装置。
　【請求項２】
　
データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行５列の１０画素データを参照して検出するものであることを特徴とするプラズマ表示装置。
　【請求項３】
　
データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有し、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行３列の６画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。
　【請求項４】
　
データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有することを特徴とするプラズマ表示装置であって、
　
前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、
　
前記データ変移の検出計数部は、データ変移の検出部と、この検出部により検出されたデータ変移を計数する計数部とを有し、
　
前記データ変移の検出部は、２行５列の１０画素データを参照して検出するものであり、
　
前記サブフィールド数監視制御部は、表示階調の重み付けが最も軽いサブフィールドからデータの書込・切替を行わないようにして表示階調数を減少させることを特徴とするプラズマ表示装置。
【発明の詳細な説明】
　【０００１】
　【発明の属する技術分野】本発明は壁掛けテレビ及び高品位ＨＤＴＶ等として使用されるプラズマ表示装置に関する。
　【０００２】
　【従来の技術】プラズマ表示装置は、薄型で大画面カラー表示できるという特長から壁掛けテレビとして、更には、より精細で高品位なＨＤＴＶとして有望視されている。プラズマ表示装置の表示パネルは、一方の面にデータ電極を規則的に配列させ、所定の間隙をもった対向面にこのデータ電極に直交するようにスキャン電極を配列させて、両電極の各交点に微少な放電セルを形成している。発光形態が面放電・交流駆動型にあっては、加えて各スキャン電極と近接して対をなすコモン電極を配置している。３種類の電極は電気的に絶縁され、相互間の容量による結合関係にある。一般的にカラー表示パネルにあっては、赤、緑、青の３色の放電セルで正方の１画素を構成するので、データ電極が特に近接した配置となる。
　【０００３】表示方法は、データ電極とスキャン電極の間で表示データに基づく書き込み放電を行い、スキャン電極とコモン電極との間でこの維持放電を行って視覚に充分な輝度とする。プラズマ表示パネルでカラー表示の階調表示をさせる方法としては、各放電セルでは点灯か消灯かのデジタル表示であるので、一画面の表示期間（例えば１フィールド表示期間又は１フレーム表示期間）を複数の表示期間（例えば、サブフィールド期間）に時分割し、表示階調のビット数Ｎｐ（Ｎｐは２以上の整数）に対応する各表示期間での維持放電回数に重み付けをすることによって階調表示することが知られている。例えば、１フィールド表示期間１Ｆ（例えば約１６．６ｍｓ）を６つのデータ書き込み期間ＷＰと維持放電期間ＳＰからなるサブフィールド期間ＳＦ１〜ＳＦ６に時分割し、各サブフィールド期間ＳＦ１〜ＳＦ６での維持放電回数を表示階調のＭＳＢビット〜ＬＳＢビットに対応して３２：１６：８：４：２：１の比率の重み付けをすることによって、６ビット、６４階調の表示が行われる。
　【０００４】このように交流駆動型プラズマ表示装置は、Ｎｐビットの表示データで２のＮｐ乗の階調表示を行うにあたり、少なくともＮｐ回に分けたデータ書き込み動作を行う。また、階調表示がサブフィールドでの時分割であるが故に、動画表示で発生するための輪郭発生による画質劣化防止が更に必要となり、サブフィールドを更に時分割して対処することが一般的である。このように、高品位な表示をするほどにデータ書き込みの動作回数は多くなり、ドライバでの消費電力が多くなり、集積化されたデータドライバに過大な発熱負担となる。
　【０００５】従来のプラズマ表示装置にあっては、例えば特開平６−２５９０３４号公報では、ビデオ信号の平均映像レベルが大きいときと小さいときの消費電力の差が大きく、電源の負担が大きくなるという問題点の解決として、ビデオ信号の平均映像レベルを設定レベルと比較することによって表示画像の明るさをｍ段階（ｍは２以上の整数）に区分し、表示画像の明るさが明るくなるほど表示階調数が多くなるように、表示画像の明るさの段階に応じて時分割数Ｎの数を切り換えて中間調画像を表示するようにしている。
　【０００６】
　【発明が解決しようとする課題】しかしながら、この従来の階調表示方法では画面全体の明るさに基づいて消費電力の差を小さくし平均化するように制御しているため、データドライバでの消費電力が最も大きい図１３（ｆ）に示すような表示パターンの繰り返し画像表示に対しては、電力を抑制する効果がないという問題点を有する。よって、このようなときのデータドライバＩＣにおける許容を越える電力消費と発熱が問題となっている。
　【０００７】本発明はかかる問題点に鑑みてなされたものであって、消費電力の過大増加を抑制しデータドライバＩＣの熱破壊を防止することができ、これにより、回路密度の高集積化も図ることができ、製造コストも低いと共に、データドライバ損失量に余裕があるため、消費電力が小さいときには、表示階調数を増大して標準より高画質表示させることができるプラズマ表示装置を提供することを目的とする。
　【０００８】削除
　【０００９】削除
　【００１０】
　【課題を解決するための手段】本発明に係るプラズマ表示装置は、データ電極、スキャン電極及びコモン電極と、これらの電極を駆動する夫々データドライバ、スキャンドライバ及びコモンドライバと、外部から入力された表示データを一旦蓄積しこれを前記データドライバに供給するフレームメモリと、前記フレームメモリから前記データドライバへの表示データの供給並びに前記データドライバ、スキャンドライバ及びコモンドライバの駆動タイミング信号の供給により階調表示に必要なサブフィールドシーケンス制御を行う表示駆動制御部と、この表示駆動制御部から表示シーケンスのサブフィールド数を入力して監視すると共に、前記フレームメモリから前記データドライバに供給される表示データを変移パターンで監視して前記データドライバの消費電力を予測しこの予測データに基づいて前記表示駆動部に対してサブフィールド数を供給してこれを指定するサブフィールド数監視制御部とを有
し、前記サブフィールド数監視制御部は、表示階調の重み付けが最も軽いサブフィールドからデータの書込・切替を行わないようにして表示階調数を減少させるように構成することができ、また、前記サブフィールド数監視制御部は、前記フレームメモリ及び前記表示駆動制御部からの表示データとデータ転送クロックを入力してデータ変移の検出及び計数を行うデータ変移の検出計数部と、データ変移パターンの種類に応じた電力量比率を加重し、最大値のＩＣの損失量を抽出してデータドライバ損失量を予測し、前記表示駆動制御部に対してサブフィールド数を指定するデータドライバ損失量予測部とを有し、前記データ変移の検出計数部は、データ変移の検出部と、この検出部により検出されたデータ変移を計数する計数部とを有するように構成することができ、前記データ変移の検出部は、２行３列の６画素データを参照して検出するものであるか、又は前記データ変移の検出部は、２行５列の１０画素データを参照して検出するものとして構成することができる。
　【００１１】削除
　【００１２】削除
　【００１３】プラズマ表示装置の表示パネルには、データ電極Ｘｊ（ｊ＝１〜ｎ）、スキャン電極Ｙｋ（ｋ＝１〜ｍ）及びコモン電極Ｚが設けられており、これらの電極と接続したデータドライバ、スキャンドライバ、コモンドライバが設けられている。大画面の高精細カラー表示用パネルでは、３色用の赤、緑、青の電極がデータ側に設けられており、データ側の配線間隔はスキャン側より狭く、データドライバは回路密度も必然的に高く集積化している。他方、データ電極が特に近接するゆえにデータ電極相互間の容量は大きな値であり、対向配置のスキャン電極やコモン電極間との相互容量も加わって、電位変位を伴うデータ書き込み動作には大きな電力消費が伴う。そこで、充電された容量負荷から電荷を回収して繰り返し利用することで消費低減することが公知事例である。高精細大画面の表示パネルでは、それでも、高集積したデータドライバＩＣには負担の大きな電力消費量が伴ってしまう。
　【００１４】この電力消費量は、例えば隣接するデータ電極が相反する電位変移を同時に行う表示のパターンでは大きな値となるなど、表示の変移パターンで異なる。加えて、カラー画像の階調表示としては、Ｎｐビットの表示データで２のＮｐ乗の階調表示を行うにあたり少なくともＮｐ回のサブフィールドに分割する方法であり、カラー表示を高品位にするほどにデータ書き込みの動作回数が多く電力消費も大きくなる。
　【００１５】そこで、本発明においては、サブフィールド数監視制御部を設けている。サブフィールド数監視制御部では、データ電極ドライバの消費電力を表示の変移パターンで監視し、表示の変移パターンの種類に応じ電力量比率を加重して各データドライバＩＣ毎に回路数で積算し、最大値のＩＣの損失量を抽出しデータドライバの損失量を予測したデータに基づき、表示シーケンスを動的に換えサブフィールド数を増減させる。例えば、表示階調の重み付けが最も軽いサブフィールドからデータの書込／切替を行わないようにして、表示階調数を減少させることにより消費電力の過大増加を抑制させる。また、データドライバ損失量に余裕があり、消費電力が小さいときには、表示階調数を標準より増加させた高画質表示とすることができる。
　【００１６】
　【発明の実施の形態】以下、添付の図面を参照して本発明の実施例について具体的に説明する。図１は本発明の実施例に係るプラズマ表示装置を示すブロック図である。図１に示すように、プラズマ表示パネルには、データ電極Ｘｊ（ｊ＝１〜ｎ）、スキャン電極Ｙｋ（ｋ＝１〜ｍ）及びコモン電極Ｚが設けられている。これらのデータ電極Ｘｊ、スキャン電極Ｙｋ及びコモン電極Ｚは、夫々データドライバ１、スキャンドライバ２及びコモンドライバ６に接続されていて、これらのドライバにより駆動される。データドライバ１は、駆動回路が集積されたＩＣから構成され、更に複数個のＩＣ集合群に分けて全体構成されるのが一般的であって、このＩＣ単位、又ＩＣ集合群の単位において駆動回路の動作温度環境が同等とみなせる構造物上に設置されている。フレームメモリ３は、外部から入力された表示データを一旦蓄積し、データドライバ１に供給する。
　【００１７】表示駆動制御部４は、水平及び垂直同期クロックを供給されて、フレームメモリ３からデータドライバ１への表示データの供給と駆動のタイミングクロックを供給し、更にスキャンドライバ２とコモンドライバ６への駆動タイミング制御信号を供給することにより、階調表示に必要なサブフィールドシーケンス制御を行う。
　【００１８】本発明の特徴は、サブフィールド数監視制御部５が設けられている点にある。このサブフィールド数監視制御部５は、表示駆動制御部４が行っている表示シーケンスのサブフィールド数を入力して監視すると共に、フレームメモリ３からデータドライバ１に供給される表示データを変移パターンで監視してデータ電極ドライバの消費電力を予測し、表示駆動制御部４に対してサブフィールド数を供給してこれを指定するものである。サブフィールド数監視制御部５は、フレームメモリ３及び表示駆動制御部４からの表示データとデータ転送クロックを入力とし、データ変移をパターン検出して各データドライバ単位毎の回路数で積算するデータ変移の検出及び計数を行う検出計数部５１と、データ変移パターンの種類に応じた電力量比率を加重し、最大値のＩＣの損失量を抽出して、データドライバ損失量を予測し、表示駆動制御部４に対してサブフィールド数を指定するデータドライバ損失量予測部５２とで構成される。
　【００１９】図１におけるデータ変移の検出計数部５１は、図２に示すデータ変移の検出部５１０と、図７に示す計数部５１１並びに計数部５１２〜５１５とで構成される。図２に詳細を示すデータ変移の検出部５１０は、注目するデータ電極Ｘｊの表示データがスキャン電極Ｙｋ−１との書き込み時点からスキャン電極Ｙｋとの書き込み駆動時点で変化が伴うのか、また同時に、隣接する電極Ｘｊ−１と電極Ｘｊ＋１の表示データにおいても変化が伴うのかを、２行３列の６画素データを参照して検出するものである。データ変移の検出部５１０は、データ変移検出を注目するデータ電極Ｘｊとスキャン電極Ｙｋとの交点に位置する画素データの一時メモリＭ（０，０）と、隣接する電極Ｘｊ−１のデータの一時メモリＭ（−１，０）と、電極Ｘｊ＋１のデータの一時メモリＭ（１，０）と、一走査前の電極Ｙｋ−１の時に駆動されたデータが格納される同様の一時メモリＭ（０，−１）、Ｍ（−１，−１）、Ｍ（１，−１）、及び、３個の排他的論理和ゲートＥＸＯＲ、５個の論理積ゲートＡＮＤ、４個のインバータで構成される。これらの６個の一時メモリに格納されるデータは、図６に示すように、任意の電極Ｘｊを中心に隣接する２行３列の画素の表示データである。このように、データを格納して、データ変移の検出部５１０から検出信号ＤＡ、検出信号ＤＢ、検出信号ＤＣ、検出信号ＤＤ、検出信号ＤＥの各信号の出力を求める。なお、ここに示した実施例は一例であって、本発明はこれに限定されず、例えば、その構成を拡張して２行５列の１０画素データを参照とすることも容易にできる。また、データ変移の検出部５１０における論理回路の構成も図２に示したものに限定されず、例えば、図３，４，５に示すような論理構成であってもよい。
　【００２０】図７に示す計数部５１１は、検出信号ＤＡとデータ転送クロックＤＣＫとの論理積の信号ＣＬＫを計数するカウンタと、このカウンタ動作をドライバ回路数ＮＩＣの周期Ｔで初期化する信号Ｒを生成する周期カウンタと、カウンタ出力を一時保持するラッチ回路で構成されて、検出信号ＤＡの発生計数を担う。計数部５１２は検出信号ＤＢの発生計数を担い、この構成は計数部５１１と同一である。同様に、計数部５１３は検出信号ＤＣの発生計数を、計数部５１４は検出信号ＤＤの発生計数を、計数部５１５は検出信号ＤＥの発生計数をそれぞれ担い、構成は計数部５１１と同一である。
　【００２１】更に、図１におけるデータドライバ損失量予測部５２は、マイクロプロセッサによる処理部であり、その詳細は、データ変移パターン種類に応じた電力量比率を加重しデータドライバ単位に積算処理し一時記憶する演算処理部５２０（図７参照）と、データドライバ損失量予測部５２１（図８参照）とからなる。図７に示すように、演算処理部５２０は、ＩＣ単位又はＩＣ集合群の単位とするドライバ構成数（整数ｓ）の一時メモリＤ１、及び一時メモリＤ２〜Ｄｓの保有と、データ変移パターン種類に応じた電力量比率α、及びβ、２β、β、２βを計数部５１１〜５１５のラッチ出力データの各々に乗算する処理と、この乗算処理の結果データを一時メモリＤ２〜Ｄｓへ分配するデ・マルチプレクサ処理と、この分配の選択制御処理とを、時分割で行う。図８に示すデータドライバ損失量予測部５２１は、一時メモリＤ２〜Ｄｓの保有データの中からデータドライバ損失予測量の最大値摘出の処理と、図９に一例として示す入出力関係データを有するルックアップテーブルと、この出力であるサブフィールド数と表示駆動制御部４が実行しているサブフィールド数を入力比較して新たなサブフィールド数を表示駆動制御部４に指定する比較判定処理とで構成される。
　【００２２】次に、上述の如く構成された本実施例のプラズマ表示装置の動作について説明する。図２のデータ変移の検出部５１０におけるデータ変移の検出について、先ず、図１１乃至１３を参照して説明する。図１１は模式的に表示した表示パネルであって、データドライバが表示データの書き込みを駆動する注目のデータ電極Ｘｊには対向電極間容量Ｃ１１、Ｃ１２と隣接電極間容量Ｃ２、Ｃ３などが付随していることを表している。容量Ｃ３は容量Ｃ２の数％程度と小さな値である。
　【００２３】本実施例では影響が小さい容量Ｃ３は省略し、データ電極３列のデータ変移を対象とし、２行のスキャン電極での表示データを参照する２行３列パターンの検出について主として説明する。電力消費の精度をさらに高めたいときには容量Ｃ３も含めた２行５列パターン検出とすればよい。
　【００２４】いま、図２における６個の一時メモリに、即ち図６に示す２行３列６個の一時メモリに、格納データＤ（Ｘｊ−１，Ｙｋ−１）、Ｄ（Ｘｊ，Ｙｋ−１）、Ｄ（Ｘｊ＋１，Ｙｋ−１）、Ｄ（Ｘｊ−１，Ｙｋ）、Ｄ（Ｘｊ，Ｙｋ）、Ｄ（Ｘｊ＋１，Ｙｋ）として図１３に示す表示パターンの一例が格納された場合の動作について説
明する。図１３に示す表示パターン（ａ）では、スキャン電極Ｙｋ−１と電極Ｙｋのときでデータ電極Ｘｊ−１、電極Ｘｊ、電極Ｘｊ＋１の表示データが消灯（Ｌ）、点灯（Ｈ）、消灯（Ｌ）であってデータ変移がないパターンである。このとき、図２の検出部５１０からの検出信号ＤＡ、ＤＢ、ＤＣ、ＤＤ、ＤＥの各出力は、信号ＤＡが排他的論理和ゲートＥＸＯＲの出力がレベルＬとなるのを受けて論理積ゲートＡＮＤの出力である信号ＤＡはＬ出力となり、検出信号ＤＢ、ＤＣ、ＤＤ、ＤＥの各々もＬ出力となる。また、図１３に示す表示パターン（ｂ）では、同様に、検出信号ＤＡ、ＤＢ、ＤＤの各々がＨ出力となり、検出信号ＤＣ、ＤＥがＬ出力となる。
　【００２５】検出信号ＤＡは電極Ｘｊで対向電極間容量Ｃ１（＝Ｃ１１＋Ｃ１２）に関わる電力消費の充電サイクルが検出された時にレベルＨとなり、検出信号ＤＢはこの時に隣接する電極Ｘｊ−１にデータ変位がなくて隣接電極間容量Ｃ２に関わる電力消費の充電サイクルが検出された時にレベルＨとなる。検出信号ＤＣは検出信号ＤＡの検出と同時に隣接する電極Ｘｊ−１に電極Ｘｊと逆位相のデータ変位があって隣接電極間容量Ｃ２に関わる放電と充電が２重する電力消費のサイクルが検出された時にレベルＨとなる。これと同様に、電極Ｘｊ−１と対称位置にある電極Ｘｊ＋１との関連において、検出信号ＤＤと検出信号ＤＥとが検出される。
　【００２６】図３に示す検出信号ＤＣの検出回路、図４に示す検出信号ＤＡの検出回路、図５に示す検出信号ＤＥの検出回路は、図２に示したこれらの検出回路と等価な結果が得られる一例である。
　【００２７】そこで、次に、これら表示パターンがデータドライバに転送され、スキャン電極Ｙｋの表示パネル駆動が行われる時のドライバ負荷状態を図１１に照らしてみる。表示パターン（ｂ）では、容量Ｃ１（＝Ｃ１１＋Ｃ１２）の充電電力、電極Ｘｊ−１間の容量Ｃ２の充電電力と電極Ｘｊ＋１間の容量Ｃ２の充電電力がデータドライバを介して消費される。データ変移が検出されない表示パターン（ａ）では、表示点灯率が１／３であるが、データドライバを介するこの無効電力の消費はない。これら表示パターンが繰り返し表示された時の電力消費を図１２に示す。データドライバでの電力消費は、表示書き込み時のガス放電による実効電力の消費が僅かのため省略しているが、データ変位に伴う主に容量Ｃ２に関わる消費によることが分かる。表示点灯率が同じ表示パターン（ｃ）と（ｆ）でも、データドライバでの無効電力の消費に大きな差が生じる。故に、表示の変移パターン監視に基づく電力消費の判定が必要である。以上の動作説明から、図１３に例示がない種々の表示パターンに関しても、例えば、全面点灯の表示（２行３列の一時メモリデータが全てＨ）で無効電力の消費がない等のようなドライバの負荷状態が事前に推量判定できることになる。
　【００２８】図７に示す計数部５１１では、検出信号ＤＡがレベルＨとなる毎にカウンタが動作し、ドライバＩＣ単位又はＩＣ集合群の単位とするドライバブロックを要素構成しているドライバ回路数ＮＩＣの周期Ｔで、カウンタ値がラッチ回路に一時保持されると共に、カウンタ値の初期化がされる。計数部５１２では検出信号ＤＢの発生計数を担い、また、計数部５１３では検出信号ＤＣの発生計数を、計数部５１４では検出信号ＤＤの発生計数を、計数部５１５では検出信号ＤＥの発生計数を担い、これらの動作は計数部５１１と同様である。
　【００２９】図７に示す演算処理部５２０では、計数部５１１〜５１５のラッチ出力データの夫々に電力量比率α、及びβ、２β、β、２βを乗算処理し、この乗算処理の結果データをＩＣ単位又はＩＣ集合群の単位とするドライバ構成数（整数ｓ）の一時メモリＤ２〜Ｄｓへの分配と積算処理が時分割で行われる。ここに、電力量比率は駆動１回当たりのデータドライバにおいて発熱となる電力量であり、比率α∝容量Ｃ１（＝Ｃ１１＋Ｃ１２）×（電圧Ｖ）２、比率β∝容量Ｃ２×（電圧Ｖ）２の関係を有する。
　【００３０】図８に示すデータドライバ損失量予測部５２１は、一時メモリＤ２〜Ｄｓの保有データの中から最大値のデータドライバ損失予測値を摘出し、図９に一例を示すように、データドライバでの損失が点Ｃのように大きい場合にサブフィールド数ｎｓを最小値Ｌｓに減らし、データドライバでの損失が小さい領域ａでは最大値Ｍｓまでを使うように、表示駆動制御部４が実行しているサブフィールド数を入力判定し、新たなサブフィールド数を表示駆動制御部４に指定する。
　【００３１】図１０は、サブフィールド数監視制御部５の指示に基づき表示駆動制御部４が実施するサブフィールドシーケンス制御の一例を示しており、図１０（ａ）に示すようなデータドライバでの損失が小さい領域ａでは最大（Ｍｓ＝１０）のサブフィールド数が指定されてサブフィールドＳＦ１〜ＳＦ１０で構成された１フィールドの構成となり、図１０（ｂ）に示すように中間の損失を示す領域ｂではサブフィールドＳＦ１０から順次に削除された構成となる。図１０（ｃ）は損失が最大の領域Ｃでサブフィールド数が最小値Ｌｓにまで減らされたサブフィールドの構成例（Ｌｓ＝６）である。
　【００３２】データ変移の発生確率が最も高くて表示階調の重み付けが最も軽い（ＬＳＢ）サブフィールドからデータの書込／切替を行わないようにして表示階調数を減少させるので、表示画品質への影響が最小で大きい効果が得られる。
　【００３３】
　【発明の効果】以上に詳述したように、本発明はデータの変移パターンの検出量によりデータドライバの消費電力を予測し、大きな電力が消費される表示に際してはサブフィールド数を抑制するため、データ書き込み期間における電力消費が削減され、高信頼性のプラズマ表示装置を実現できる。
【図面の簡単な説明】
　【図１】本発明の実施例に係るプラズマ表示装置を示すブロック図である。
　【図２】本実施例のデータ変移検出部５１０を示すブロック図である。
　【図３】データ変移検出部５１０の論理回路の変形例を示す回路図である。
　【図４】データ変移検出部５１０の論理回路の変形例を示す回路図である。
　【図５】データ変移検出部５１０の論理回路の変形例を示す回路図である。
　【図６】本実施例の一時メモリに格納されるデータを示す図である。
　【図７】データ変移計数部５１１〜５１５及び演算処理部５２０を示すブロック図である。
　【図８】データドライバ損失量予測部５２１を示すブロック図である。
　【図９】データドライバ損失量予測部５２１の動作を示す図である。
　【図１０】表示駆動制御部のサブフィールドシーケンス制御を示す図である。
　【図１１】ドライバ負荷状態を示す図である。
　【図１２】電力消費を示す図である。
　【図１３】表示パターンを示す図である。
　【符号の説明】
　１：データドライバ
　２：スキャンドライバ
　３：フレームメモリ
　４：表示駆動制御部
　５：サブフィールド数監視制御部
　６：コモンドライバ
　５１：データ変移の検出計数部
　５２：データドライバ損失量予測部
　５１０：データ変移の検出部
　５１１〜５１５：計数部
　５２０：演算処理部
　５２１：データドライバ損失量予測部